(57)【要約】【課題】省スペース化と取付施工性の向上との両立を図ることが可能な湯水混合水栓及びその取付方法を提供すること。【解決手段】壁Ｗの裏側に配管された給湯配管及び給水配管に対して壁の表側から接続される二つの偏心管２と、壁の表側に配置され二つの偏心管が組み付けられる水栓本体１とを備え、水栓本体に、壁に向けて開口する壁向き開口部１１及び壁に背を向けて開口する逆向き開口部１２を有し、逆向き開口部から給湯配管又は給水配管に接続可能な位置にまで挿入された偏心管を壁向き開口部から抜けないように保持する貫通孔１０が二つ設けられ、貫通孔に挿入され給湯配管及び給水配管に接続されていない状態の偏心管は偏心管の中心軸回りに回動可能である。【選択図】図１
2010101101.tif 000002
【特許請求の範囲】
【請求項１】
壁の裏側に配管された給湯配管及び給水配管に対して前記壁の表側から接続される二つの偏心管と、前記壁の表側に配置され前記二つの偏心管が組み付けられる水栓本体とを備え、前記水栓本体に、前記壁に向けて開口する壁向き開口部及び前記壁に背を向けて開口する逆向き開口部を有し、該逆向き開口部から前記給湯配管又は給水配管に接続可能な位置にまで挿入された前記偏心管を前記壁向き開口部から抜けないように保持する貫通孔が二つ設けられ、前記貫通孔に挿入され前記給湯配管及び給水配管に接続されていない状態の前記偏心管は該偏心管の中心軸回りに回動可能である湯水混合水栓。
【請求項２】
前記偏心管は、略円柱状で軸方向に自身を貫通する偏心穴を有する偏心管本体と、略円柱状で前記偏心穴を挿通し先端に前記給湯配管又は給水配管に接続される接続部を有する接続具とを備え、
前記偏心管本体は前記偏心管の中心軸回りに回動可能となるように前記貫通孔の孔壁によって保持され、
前記接続具には、該接続具の先端面から後端側に向かって延びる空洞部と、この空洞部を該接続具の外周面側へと連通させる内側連通部とが設けられているとともに、前記偏心管本体には、前記偏心穴を該偏心管本体の外周面側へと連通させ、かつ、前記内側連通部に連通する外側連通部が設けられ、
前記給湯配管及び給水配管から前記偏心管内に入った湯及び水は、前記空洞部、前記内側連通部、前記外側連通部をこの順に経て、前記水栓本体内に設けられた湯水混合部へと送られるように構成されている請求項１に記載の湯水混合水栓。
【請求項３】
前記偏心管は、前記接続具の後端部に設けられた雄ねじ部に対して螺着され前記偏心管本体の後端に当接する固定ナットを備えた請求項２に記載の湯水混合水栓。
【請求項４】
前記貫通孔に挿入された前記偏心管本体を前記偏心管の軸回りに回動可能に、かつ、前記逆向き開口部から抜けないように保持する取付部材が前記貫通孔の孔壁に固着されている請求項２または３に記載の湯水混合水栓。
【請求項５】
前記接続具は該接続具の中心軸回りに回動可能となるように前記偏心穴の孔壁によって保持され、前記給湯配管又は給水配管に対して螺着によって接続されるように前記接続部が構成されている請求項２〜４の何れかに記載の湯水混合水栓。
【請求項６】
前記接続具には、該接続具の後端面から先端側に向かって延び断面視が非円形状の内周壁部分を有する凹入部が設けられている請求項５に記載の湯水混合水栓。
【請求項７】
壁の裏側に配管された給湯配管及び給水配管に対し、該給湯配管及び給水配管に接続される接続部を先端に有する二つの偏心管を用いて、前記壁の表側に配置される水栓本体を取り付ける湯水混合水栓の取付方法であって、
前記水栓本体に、前記壁に向けて開口する壁向き開口部及び前記壁に背を向けて開口する逆向き開口部を有し、該逆向き開口部から前記給湯配管又は給水配管に接続可能な位置にまで挿入された前記偏心管を前記壁向き開口部から抜けないように保持する貫通孔が二つ設けられてあり、
前記各貫通孔に対して前記逆向き開口部から挿入された各偏心管を該偏心管の中心軸回りに回動操作して前記給湯配管及び給水配管に対する前記二つの偏心管の先端に設けられた二つの前記接続部の接続が可能となるように位置合わせを行い、前記給湯配管及び給水配管に対して二つの前記接続部を接続する湯水混合水栓の取付方法。
【請求項８】
前記偏心管は、略円柱状で軸方向に自身を貫通する偏心穴を有する偏心管本体と、略円柱状で前記偏心穴を挿通し先端に前記接続部を有する接続具とを備え、
前記偏心管本体は前記偏心管の中心軸回りに回動可能となるように前記貫通孔の孔壁によって保持され、
前記接続具には、該接続具の先端面から後端側に向かって延びる空洞部と、この空洞部を該接続具の外周面側へと連通させる内側連通部とが設けられているとともに、前記偏心管本体には、前記偏心穴を該偏心管本体の外周面側へと連通させ、かつ、前記内側連通部にも連通する外側連通部が設けられ、
前記給湯配管及び給水配管から前記偏心管内に入った湯及び水は、前記空洞部、前記内側連通部、前記外側連通部をこの順に経て、前記水栓本体内に設けられた湯水混合部へと送られるように構成されており、
前記位置合わせは、前記各貫通孔に対して前記逆向き開口部から挿入された各偏心管の前記偏心管本体を前記偏心管の中心軸回りに回動操作することによって行われる請求項７に記載の湯水混合水栓の取付方法。
【請求項９】
前記給湯配管及び給水配管に対して二つの前記接続部を接続した後、前記接続具の後端部に設けられた雄ねじ部に対して螺着された固定ナットを回動操作し、該固定ナットを前記偏心管本体の後端に当接させる請求項８に記載の湯水混合水栓。
【請求項１０】
前記位置合わせの前に、前記貫通孔に挿入された前記偏心管本体を前記偏心管の軸回りに回動可能に、かつ、前記逆向き開口部から抜けないように保持する取付部材を前記貫通孔の孔壁に固着する請求項８または９に記載の湯水混合水栓。
【請求項１１】
前記接続具は該接続具の中心軸回りに回動可能となるように前記偏心穴の孔壁によって保持され、
前記位置合わせの後の前記給湯配管及び給水配管に対する二つの前記接続部の接続を、前記接続具を回動操作して前記給湯配管及び給水配管に対して前記接続部を螺着することによって行う請求項８〜１０の何れかに記載の湯水混合水栓の取付方法。
【請求項１２】
前記接続具には、該接続具の後端面から先端側に向かって延び断面視が非円形状の内周壁部分を有する凹入部が設けられており、
前記給湯配管及び給水配管に対する前記接続部の螺着を、前記内周壁部分に係合する工具を前記凹入部に挿入した状態で回動操作することにより行う請求項１１に記載の湯水混合水栓の取付方法。
【発明の詳細な説明】
【技術分野】
【０００１】
本発明は、給湯配管及び給水配管に接続される湯水混合水栓及びその取付方法に関する。
【背景技術】
【０００２】
従来の湯水混合水栓の取付施工では、壁の裏側に配管された給湯配管及び給水配管に対して、二つのクランク脚を介して水栓本体を取り付け、同時に、二つのクランク脚によって水栓本体を壁にも固定する。
【０００３】
そして、上記取付施工の問題点として、水栓本体と壁との間に位置するクランク脚によって、水栓本体が室内側に大きく迫り出してしまい、省スペース化を図れないという点が挙げられる。
【０００４】
この点を解消するために、特許文献１には、クランク脚に代えて扁平な盤状をなす連結盤を用いる湯水混合水栓が提案されている。
【０００５】
【特許文献１】特開２００２−１１５２８９号公報
【発明の開示】
【発明が解決しようとする課題】
【０００６】
しかし、特許文献１の湯水混合水栓においても、連結盤はクランク脚と同様に水栓本体と壁との間に位置するものであるので、連結盤の奥行きを小さくすればそれだけ壁面から室内側への水栓本体の迫り出し幅を抑えることはできるものの、それには限界があり、省スペース化の点では未だ改善の余地があるといえる。しかも、特許文献１の湯水混合水栓は、連結盤の他に多数の部材が用いられ、その取付施工には多くの工数が必要になるという問題もある。
【０００７】
本発明は上述の実情に鑑みてなされたもので、その目的は、省スペース化と取付施工性の向上との両立を図ることが可能な湯水混合水栓及びその取付方法を提供することにある。
【課題を解決するための手段】
【０００８】
上記目的を達成するために、本発明に係る湯水混合水栓は、壁の裏側に配管された給湯配管及び給水配管に対して前記壁の表側から接続される二つの偏心管と、前記壁の表側に配置され前記二つの偏心管が組み付けられる水栓本体とを備え、前記水栓本体に、前記壁に向けて開口する壁向き開口部及び前記壁に背を向けて開口する逆向き開口部を有し、該逆向き開口部から前記給湯配管又は給水配管に接続可能な位置にまで挿入された前記偏心管を前記壁向き開口部から抜けないように保持する貫通孔が二つ設けられ、前記貫通孔に挿入され前記給湯配管及び給水配管に接続されていない状態の前記偏心管は該偏心管の中心軸回りに回動可能である（請求項１）。ここで、水栓本体とは、給湯配管及び給水配管に接続された偏心管によって保持されるとともに、給湯配管及び給水配管から偏心管を介して湯水混合部に湯水が供給されるものをいう。
【０００９】
上記湯水混合水栓において、前記偏心管は、略円柱状で軸方向に自身を貫通する偏心穴を有する偏心管本体と、略円柱状で前記偏心穴を挿通し先端に前記給湯配管又は給水配管に接続される接続部を有する接続具とを備え、前記偏心管本体は前記偏心管の中心軸回りに回動可能となるように前記貫通孔の孔壁によって保持され、前記接続具には、該接続具の先端面から後端側に向かって延びる空洞部と、この空洞部を該接続具の外周面側へと連通させる内側連通部とが設けられているとともに、前記偏心管本体には、前記偏心穴を該偏心管本体の外周面側へと連通させ、かつ、前記内側連通部に連通する外側連通部が設けられ、前記給湯配管及び給水配管から前記偏心管内に入った湯及び水は、前記空洞部、前記内側連通部、前記外側連通部をこの順に経て、前記水栓本体内に設けられた湯水混合部へと送られるように構成されているのが好ましい（請求項２）。
【００１０】
また、上記湯水混合水栓において、前記偏心管は、前記接続具の後端部に設けられた雄ねじ部に対して螺着され前記偏心管本体の後端に当接する固定ナットを備えていてもよい（請求項３）。
【００１１】
また、上記湯水混合水栓において、前記貫通孔に挿入された前記偏心管本体を前記偏心管の軸回りに回動可能に、かつ、前記逆向き開口部から抜けないように保持する取付部材が前記貫通孔の孔壁に固着されていてもよい（請求項４）。
【００１２】
また、上記湯水混合水栓において、前記接続具は該接続具の中心軸回りに回動可能となるように前記偏心穴の孔壁によって保持され、前記給湯配管又は給水配管に対して螺着によって接続されるように前記接続部が構成されていてもよい（請求項５）。
【００１３】
また、上記湯水混合水栓において、前記接続具には、該接続具の後端面から先端側に向かって延び断面視が非円形状の内周壁部分を有する凹入部が設けられていてもよい（請求項６）。
【００１４】
一方、本発明の湯水混合水栓の取付方法は、壁の裏側に配管された給湯配管及び給水配管に対し、該給湯配管及び給水配管に接続される接続部を先端に有する二つの偏心管を用いて、前記壁の表側に配置される水栓本体を取り付ける湯水混合水栓の取付方法であって、前記水栓本体に、前記壁に向けて開口する壁向き開口部及び前記壁に背を向けて開口する逆向き開口部を有し、該逆向き開口部から前記給湯配管又は給水配管に接続可能な位置にまで挿入された前記偏心管を前記壁向き開口部から抜けないように保持する貫通孔が二つ設けられてあり、前記各貫通孔に対して前記逆向き開口部から挿入された各偏心管を該偏心管の中心軸回りに回動操作して前記給湯配管及び給水配管に対する前記二つの偏心管の先端に設けられた二つの前記接続部の接続が可能となるように位置合わせを行い、前記給湯配管及び給水配管に対して二つの前記接続部を接続する（請求項７）。
【００１５】
上記湯水混合水栓の取付方法において、前記偏心管は、略円柱状で軸方向に自身を貫通する偏心穴を有する偏心管本体と、略円柱状で前記偏心穴を挿通し先端に前記接続部を有する接続具とを備え、前記偏心管本体は前記偏心管の中心軸回りに回動可能となるように前記貫通孔の孔壁によって保持され、前記接続具には、該接続具の先端面から後端側に向かって延びる空洞部と、この空洞部を該接続具の外周面側へと連通させる内側連通部とが設けられているとともに、前記偏心管本体には、前記偏心穴を該偏心管本体の外周面側へと連通させ、かつ、前記内側連通部にも連通する外側連通部が設けられ、前記給湯配管及び給水配管から前記偏心管内に入った湯及び水は、前記空洞部、前記内側連通部、前記外側連通部をこの順に経て、前記水栓本体内に設けられた湯水混合部へと送られるように構成されており、前記位置合わせは、前記各貫通孔に対して前記逆向き開口部から挿入された各偏心管の前記偏心管本体を前記偏心管の中心軸回りに回動操作することによって行われるのが好ましい（請求項８）。
【００１６】
また、上記湯水混合水栓の取付方法において、前記給湯配管及び給水配管に対して二つの前記接続部を接続した後、前記接続具の後端部に設けられた雄ねじ部に対して螺着された固定ナットを回動操作し、該固定ナットを前記偏心管本体の後端に当接させてもよい（請求項９）。
【００１７】
また、上記湯水混合水栓の取付方法において、前記位置合わせの前に、前記貫通孔に挿入された前記偏心管本体を前記偏心管の軸回りに回動可能に、かつ、前記逆向き開口部から抜けないように保持する取付部材を前記貫通孔の孔壁に固着してもよい（請求項１０）。
【００１８】
また、上記湯水混合水栓の取付方法において、前記接続具は該接続具の中心軸回りに回動可能となるように前記偏心穴の孔壁によって保持され、前記位置合わせの後の前記給湯配管及び給水配管に対する二つの前記接続部の接続を、前記接続具を回動操作して前記給湯配管及び給水配管に対して前記接続部を螺着することによって行ってもよい（請求項１１）。
【００１９】
また、上記湯水混合水栓の取付方法において、前記接続具には、該接続具の後端面から先端側に向かって延び断面視が非円形状の内周壁部分を有する凹入部が設けられており、前記給湯配管及び給水配管に対する前記接続部の螺着を、前記内周壁部分に係合する工具を前記凹入部に挿入した状態で回動操作することにより行ってもよい（請求項１２）。
【発明の効果】
【００２０】
請求項１〜１２に係る発明では、省スペース化と取付施工性の向上との両立を図ることが可能な湯水混合水栓及びその取付方法が得られる。
【００２１】
すなわち、請求項１，２に係る発明では、従来の湯水混合水栓とは異なり、水栓本体の背面側（壁側）に偏心管が組み付けられるのではなく、水栓本体を挿通する状態で偏心管が組み付けられるので、水栓本体の壁の表側への迫り出しを最小限に抑えることができ、省スペース化を図ることができる。
【００２２】
さらに、請求項３に係る発明では、固定ナットにより、接続具が偏心管本体から抜け落ちることを確実に防止することができる。
【００２３】
また、請求項４に係る発明では、貫通孔に挿入した偏心管が逆向き開口部から抜け落ちることを取付部材によって確実に防止することができる。
【００２４】
また、請求項５，６に係る発明では、給湯配管及び給水配管に対する接続部の接続を非常に簡便化することができる。
【００２５】
そして、請求項７〜１２に係る発明では、上記の効果を奏する請求項１〜６に係る湯水混合水栓が得られる。
【００２６】
特に、請求項１０に係る発明では、例えば貫通孔の孔壁に対する取付部材の固着までを工場等で予め行っておけば、施工現場では接続部の位置合わせから開始することができるので、取付施工性を格段に向上させることができる。
【発明を実施するための最良の形態】
【００２７】
以下、本発明を実施するための形態について図面を参照しながら説明する。図１は本発明の一実施の形態に係る湯水混合水栓の取付け途中の状態の構成を概略的に示す斜視図、図２は前記湯水混合水栓の構成を概略的に示す背面図、図３は前記湯水混合水栓の構成を概略的に示す横断面図、図４は前記湯水混合水栓の使用状態を概略的に示す説明図、図５は水栓本体１から偏心管２，２を分離した状態の前記湯水混合水栓の構成を概略的に示す斜視図、図６（Ａ）及び（Ｂ）は偏心管２，２の構成を概略的に示す正面図及び縦断面図、図７（Ａ）〜（Ｃ）は取付部材２８の構成を概略的に示す正面図、横断面図及び側面図、図８（Ａ）及び（Ｂ）は取付部材を装着した状態の偏心管の構成を概略的に示す正面図及び横断面図、図９は前記湯水混合水栓の構成を概略的に示す縦断面図、図１０（Ａ）及び（Ｂ）は図９のＡ−Ａ線及びＢ−Ｂ線で湯水混合水栓の一部を切断して示す図、図１１は二つの接続部１５，１５を最も離した状態の前記湯水混合水栓の構成を概略的に示す背面図、図１２は二つの接続部１５，１５を最も近づけた状態の前記湯水混合水栓の構成を概略的に示す背面図、図１３（Ａ）及び（Ｂ）は前記湯水混合水栓の構成について化粧カバー３５を取り外した状態及び取り付けた状態をそれぞれ概略的に示す斜視図である。
【００２８】
この実施の形態（以下、本例という）に係る湯水混合水栓は、図１及び図５に示すように、水栓本体１と、この水栓本体１を給湯配管Ｐ１及び給水配管Ｐ２（以下、両者を区別せずに供給配管Ｐという場合もある）に取り付けるための二つの偏心管２，２とを備えている。すなわち、給湯配管Ｐ１及び給水配管Ｐ２は浴室の壁Ｗ（図３及び図４参照）の裏側に配管されているのに対し、水栓本体１は壁Ｗの表側に配置される。また、二つの偏心管２，２は、給湯配管Ｐ１及び給水配管Ｐ２に対して壁Ｗの表側から接続されると共に、水栓本体１に対して組み付けられ、これにより、水栓本体１は、給湯配管Ｐ１及び給水配管Ｐ２に取り付けられ、かつ、壁Ｗの表側に固定されることになる。
【００２９】
まず、水栓本体１の構成について述べる。水栓本体１は、図１〜図５及び図９（主に図９）に示すように、吐出部（カラン）３と、ハンドシャワヘッド４ａ及びシャワホース４ｂ（ともに図４参照）が接続されるシャワエルボ４と、吐出部３及びシャワエルボ４から流出する湯水の温度を調節する温度調整ハンドル５と、吐出部３又はシャワエルボ４から流出させる湯水の流量を調整する流量調整ハンドル６と、吐出部３が接続固定され、シャワエルボ４及び両ハンドル５，６が組み付けられた鋳物からなるハウジング７とを備えている。
【００３０】
そして、ハウジング７内には、図９並びに図１０（Ａ）及び（Ｂ）に示すように、湯水混合部８と流量調整部９とが設けられている。すなわち、湯水混合部８は、給湯配管Ｐ１及び給水配管Ｐ２から偏心管２，２を介して導入された湯及び水を混合し、この混合比率は温度調整ハンドル５の回動操作によって変更されるように構成されたユニットである。また、流量調整部９は、湯水混合部８からの湯水を吐出部３又はシャワエルボ４へと導出し、この導出先及び導出流量は流量調整ハンドル６の回動操作によって変更されるように構成されたユニットである。尚、図９並びに図１０（Ａ）及び（Ｂ）では、給水配管Ｐ２から偏心管２内に至った水が湯水混合部８に到達するまでの流れを一点鎖線で表し、給湯配管Ｐ１から偏心管２内に至った湯が湯水混合部８に到達するまでの流れを破線で表してある。
【００３１】
ここで、温度調整ハンドル５及び湯水混合部８によって温度調整機構が構成され、流量調整ハンドル６及び流量調整部９によって流量調整機構が構成されるのであるが、これらの機構については公知の構成を採用することができるのであって、各機構のより詳細な説明はここでは省略する。
【００３２】
また、ハウジング７において上記構成部材３〜６，８，９を避けた位置（壁Ｗの表側に対面する方向からハウジング７を見たときにこれらの構成部材３〜６，８，９に隠れたりあるいはこれらの構成部材を隠したりしない位置であり、本例ではハウジング７の下部の左右）には、図３及び図５に示すように、一対（二つ）の貫通孔１０が設けられている。各貫通孔１０は、壁Ｗに向けて開口する壁向き開口部１１を一端側に有し、壁Ｗに背を向けて開口する逆向き開口部１２を他端側に有している。また、各貫通孔１２は、逆向き開口部１１から供給配管Ｐに接続可能な位置にまで挿入された偏心管２を壁向き開口部１１から抜けないように保持する。
【００３３】
次に、偏心管２の構成について説明する。偏心管２は、図３、図５、図６、図１０（Ａ）及び（Ｂ）に示すように、略円柱状で軸方向に自身を貫通する偏心穴１３を有する偏心管本体１４と、略円柱状で偏心穴１３を挿通し先端に供給配管Ｐに接続（螺着）される接続部１５を有する接続具１６と、接続具１６の後端部に設けられた雄ねじ部１７に対して螺着され偏心管本体１４の後端に当接する固定ナット１８とを備えている。
【００３４】
偏心管本体１４は、例えば銅合金等の金属からなる部材であり、偏心管２の中心軸（これは偏心管本体１４自体の中心軸でもある）回りに回動可能となるように貫通孔１０の孔壁によって保持される。
【００３５】
また、図６（Ｂ）に示すように、偏心管本体１４は、偏心穴１３を偏心管本体１４の外周面側へと連通させるための外側連通部１９を有している。ここで、本例の外側連通部１９は、偏心管本体１４の外周面中央部に設けられた環状溝１９ａと、偏心穴１３を環状溝１９ａに繋げる複数（本例では６個）の孔１９ｂとによって構成され、複数の孔１９ｂは偏心管本体１４の周方向に等間隔に設けられている。
【００３６】
そして、図６（Ｂ）に示すように、偏心管本体１４の外周面において環状溝１９ａを挟む位置に設けられた二つの環状凹入部２０，２０にはそれぞれシール部材２１（本例ではゴム製のＯリング）が装着されている。
【００３７】
接続具１６は、例えば銅合金等の金属からなる部材であり、接続具１６の中心軸回りに回動可能となるように偏心穴１３の孔壁によって保持される。
【００３８】
また、接続具１６は、図６（Ｂ）に示すように、接続具１６の先端面から後端側に向かって延びる空洞部２２と、この空洞部２２を接続具１６の外周面側へと連通させる内側連通部２３とを有している。ここで、本例の内側連通部２３は、接続具１６の外周面中央部に設けられた環状溝２３ａと、空洞部２２を環状溝２３ａに繋げる複数（本例では３個）の孔２３ｂによって構成され、これら複数の孔２３ｂは接続具１６の周方向に等間隔に設けられている。
【００３９】
そして、図６（Ｂ）に示すように、接続具１６の外周面において環状溝２３ａを挟む位置に設けられた二つの環状凹入部２４，２４にはそれぞれシール部材２５（本例ではゴム製のＯリング）が装着されている。
【００４０】
また、接続具１６には、図６（Ａ）及び（Ｂ）に示すように、接続具１６の後端面から先端側に向かって延び断面視が非円形状（本例では正六角形状）の内周壁部分２６ａを有する凹入部２６が設けられている。
【００４１】
固定ナット１８は、例えば銅合金等の金属からなる部材であり、図６（Ｂ）に示すように、例えばりん青銅からなり雄ねじ部１７に装着される割リング２７によって抜け止めされている。
【００４２】
また、偏心管本体１４の後端部には、図７（Ａ）〜（Ｃ）に示す構造を有する取付部材２８が図８（Ａ）及び（Ｂ）に示すように装着（外嵌）される。ここで、取付部材２８は、一端側から順に、雄ねじ部２９と、フランジ部３０と、非円形状（本例では正六角形状）の頭部３１とを有するナット状の部材である。そして、図３に示すように、雄ねじ部２９は貫通孔１０の孔壁に設けられた雌ねじ部３２に螺着し、本例では、螺着状態の雄ねじ部２９と雌ねじ部３２とは接着剤によって固着される。また、偏心管本体１４において取付部材２８が装着される被装着部分３３は取付部材２８の内周面と同じく断面視円形状をしており、かつ、被装着部分３３と取付部材２８の内周面との間には若干（本例では０．５ｍｍ）の遊びが設けられている。さらに、取付部材２８の先端は偏心管本体１４の段部３４に当接するように構成されている。従って、貫通孔１０の孔壁に固着された取付部材２８によって、貫通孔１０に挿入された状態の偏心管本体１４は、偏心管２の軸回りに回動可能に、かつ、逆向き開口部１２から抜けないように保持される。
【００４３】
次に、湯水混合水栓の取付方法について述べる。
【００４４】
（１）まず、図６に示す偏心管２を組み立てる。
【００４５】
すなわち、偏心管本体１４の各環状凹入部２０にシール部材２１を装着すると共に、接続具１６の各環状凹入部２４にシール部材２５を装着し、図６において偏心穴１３の下側から接続具１６を上向きに挿入する。このとき、接続具１６の外周面には、偏心穴１３の一端（図６では上端）側に設けられた小径部分１３ａの内径よりも大きい外径部分１６ａを突設してあるので、接続具１６が偏心穴１３の上側から完全に抜けきってしまうことは、両者１３ａ，１６ａの係合により防止される。
【００４６】
（２）その後、偏心穴１４の上方に突出した接続具１６の雄ねじ部１７に、割リング２７を装着するとともに、固定ナット１８を螺着する。
【００４７】
（３）続いて、図６に示す偏心管２に取付部材２８を装着して、図５並びに図８（Ａ）及び（Ｂ）に示す状態にした後、この偏心管２を逆向き開口部１２から貫通孔１０に挿入し、取付部材２８の雄ねじ部２９を貫通孔１０の雌ねじ部３２に螺着するとともに、両者２９，３２を接着剤により固着する。すなわち、予め接着剤を雄ねじ部２９に塗布しておく。
【００４８】
これにより、偏心管本体１４は、取付部材２８によって偏心管２の軸回りに３６０°回動可能に、かつ、逆向き開口部１２側から抜けないように保持される。また、図３に示すように、偏心管本体１４の外周面には、貫通孔１０の先端（図３では下端）側に設けられた小径部分１０ａの内径よりも大きい外径部分１４ａを突設してあるので、偏心管本体１４が壁向き開口部１１側から完全に抜けきってしまうことは、両者１０ａ，１４ａの係合により防止される。
【００４９】
同じく、接続具１６は、偏心管本体１４によって接続具１６の軸回りに回動可能に、かつ、逆向き開口部１２側から抜けないように保持される。また、図３に示すように、接続具１６の雄ねじ部１７には偏心管本体１４の後端に当接する固定ナット１８が螺着されているので、接続具１６が壁向き開口部１１側から完全に抜けきってしまうことは、偏心管本体１４と固定ナット１８との係合により防止される。
【００５０】
（４）次いで、各貫通孔１０に対して逆向き開口部１２から挿入された各偏心管２を偏心管２の中心軸回りに回動操作し、給湯配管Ｐ１及び給水配管Ｐ２に対する二つの偏心管２，２の先端に設けられた二つの接続部１５，１５の接続が可能となるように位置合わせを行い、給湯配管Ｐ１及び給水配管Ｐ２に対して二つの接続部１５，１５を接続（螺着）する。本例では、接続部１５は雄ねじになっており、供給配管Ｐの先端部は接続部１５が螺着される雌ねじになっている。
【００５１】
すなわち、貫通孔１０に挿入され供給配管Ｐに接続されていない状態の偏心管２は偏心管２の中心軸回りに回動可能である。そして、各偏心管２を偏心管２の中心軸回りに回動操作することにより、両接続部１５，１５間の距離を変更することができ、両接続部１５，１５間の距離は、図１１に示す状態では最大となり、図１２に示す状態では最小となる。尚、本例では、図２に示すようにその中間の距離となる状態に位置合わせされている。
【００５２】
また、上記位置合わせ後における供給配管Ｐに対する接続部１５の螺着は、内周壁部分２６ａに係合する図外の工具（本例では六角レンチ）を凹入部２６に挿入した状態でこの工具を回動操作することにより行われる。そして、供給配管Ｐに接続部１５を螺着する際に、水漏れを確実に防止するために、例えば接続部１５にシールテープを巻く等の処理を適宜に施してもよい。
【００５３】
（５）そして、接続具１６の後端部に設けられた雄ねじ部１７に対して螺着されている固定ナット１８を回動操作し、固定ナット１８を偏心管本体１４の後端に当接させる。これにより、水栓本体１に対する偏心管２，２の組付けが完了する（図１３（Ａ）参照）。
【００５４】
（６）最後に、図１３（Ｂ）に示すように、水栓本体１に着脱自在の化粧カバー３５を装着し、偏心管２，２が化粧カバー３５によって覆われた状態とする。これにより、湯水混合水栓の取付けが完了する。
【００５５】
上記の工程（１）〜（６）を経て取り付けられた湯水混合水栓においては、図８（Ｂ）に示すように、偏心管本体１４の外側連通部１９と接続具１６の内側連通部２３とが互いに連通する状態となる。従って、給湯配管Ｐ１及び給水配管Ｐ２から偏心管２，２内に入った湯及び水は、それぞれ空洞部２２、内側連通部２３、外側連通部１９をこの順に経て、水栓本体１内に設けられた湯水混合部８へと送られることになる。
【００５６】
本例の湯水混合水栓では、従来の湯水混合水栓とは異なり、水栓本体１の背面側（壁Ｗ側）に偏心管２，２が組み付けられるのではなく、水栓本体１を挿通する状態で偏心管２，２が組み付けられるので、水栓本体１の壁Ｗの表側への迫り出しを最小限に抑えることができ、省スペース化を図ることができる。
【００５７】
また、本例の湯水混合水栓の取付方法では、例えば上記の工程（１）〜（３）を工場等で予め行っておけば、施工現場では工程（４）の位置合わせから開始することができるので、取付施工性を格段に向上させることができる。
【００５８】
尚、本発明は本例に示す態様に限られず、種々に変形した態様で実施することができる。例えば、本例では、壁Ｗを浴室の壁としてあるが、壁Ｗはこのように部屋（室）を仕切るように設けられた略鉛直方向に延びる壁に限られず、例えば、化粧ボックスやハウジングをなすような壁であってもよく、洗面台上面をなす壁のように略水平方向に延びる壁等であってもよい。
【００５９】
また、水栓本体１は上記の構成を有するものに限られず、種々の構成を有する水栓本体１を採用することができる。さらに、貫通孔１０，１０を設ける位置は、ハウジング７の下部に限らず、適宜に設定することができる。
【００６０】
例えば、図１４及び図１５に示すように、水栓本体１は吐出部３をハウジング７の下部に有するものであってもよく、ハウジング７の上部に貫通孔１０，１０が設けられていてもよい。ここで、図１４及び図１５は、本発明の変形例に係る湯水混合水栓の化粧カバーを取り外した状態及び取り付けた状態の構成を概略的に示す斜視図である。
【００６１】
また、接続部１５を雄ねじとし、供給配管Ｐの先端部を雌ねじとする構成に代えて、接続部１５を雌ねじとし、供給配管Ｐの先端部を雄ねじとする構成を採用してもよい。
【００６２】
また、固定ナット１８を用いなくてもよい。
【００６３】
また、外側連通部１９を構成する孔１９ａ及び内側連通部２３を構成する孔２３ａは、上記の構成に限らず、その数や配置は適宜に変更することができる。
【００６４】
また、取付部材２８を用いるに際して、雄ねじ部２９を貫通孔１０の雌ねじ部３２に接着せずに螺着するのみとしてもよく、さらには、取付部材２８を用いなくてもよい。しかし、この取付部材２８または固定ナット１８の少なくとも何れか一方は用いた方が施工性や安全性の点で好適であり、両方用いた方が施工性及び安全性の点でより好適となることはいうまでもない。
【００６５】
また、内周壁部分２６ａは正六角形状に限らず、例えば楕円形状や他の正多角形状等としてもよい。この場合、上記工程（４）において用いる工具としては、内周壁部分２６ａに係合するものを用いればよい。
【００６６】
また、接続具１６に凹入部２６を設け、上記工程（４）において、凹入部２６に適宜の工具を挿入して接続具１６の回動操作を行う構成に限らず、例えば凹入部２６に代えて非円形状の凸部を設け、この凸部に係合する適宜の工具を用いて工程（４）における接続具１６の回動操作を行うようにしてもよい。
【００６７】
また、上記工程（２）を工程（３）の後に行ってもよい。
【図面の簡単な説明】
【００６８】
【図１】本発明の一実施の形態に係る湯水混合水栓の取付け途中の状態の構成を概略的に示す斜視図である。
【図２】前記湯水混合水栓の構成を概略的に示す背面図である。
【図３】前記湯水混合水栓の構成を概略的に示す横断面図である。
【図４】前記湯水混合水栓の使用状態を概略的に示す説明図である。
【図５】水栓本体から偏心管を分離した状態の前記湯水混合水栓の構成を概略的に示す斜視図である。
【図６】（Ａ）及び（Ｂ）は偏心管の構成を概略的に示す正面図及び縦断面図である。
【図７】（Ａ）〜（Ｃ）は取付部材の構成を概略的に示す正面図、横断面図及び側面図である。
【図８】（Ａ）及び（Ｂ）は取付部材を装着した状態の偏心管の構成を概略的に示す正面図及び横断面図である。
【図９】前記湯水混合水栓の構成を概略的に示す縦断面図である。
【図１０】（Ａ）及び（Ｂ）は図９のＡ−Ａ線及びＢ−Ｂ線で湯水混合水栓の一部を切断して示す図である。
【図１１】二つの接続部を最も離した状態の前記湯水混合水栓の構成を概略的に示す背面図である。
【図１２】二つの接続部を最も近づけた状態の前記湯水混合水栓の構成を概略的に示す背面図である。
【図１３】（Ａ）及び（Ｂ）は前記湯水混合水栓の構成について化粧カバーを取り外した状態及び取り付けた状態をそれぞれ概略的に示す斜視図である。
【図１４】本発明の変形例に係る湯水混合水栓の化粧カバーを取り外した状態の構成を概略的に示す斜視図である。
【図１５】本発明の変形例に係る湯水混合水栓の化粧カバーを取り付けた状態の構成を概略的に示す斜視図である。
【符号の説明】
【００６９】
１    水栓本体
２    偏心管
１０    貫通孔
１１    壁向き開口部
１２    逆向き開口部
Ｗ    壁
【図１】
2010101101.tif 000003
【図２】
2010101101.tif 000004
【図３】
2010101101.tif 000005
【図４】
2010101101.tif 000006
【図５】
2010101101.tif 000007
【図６】
2010101101.tif 000008
【図７】
2010101101.tif 000009
【図８】
2010101101.tif 000010
【図９】
2010101101.tif 000011
【図１０】
2010101101.tif 000012
【図１１】
2010101101.tif 000013
【図１２】
2010101101.tif 000014
【図１３】
2010101101.tif 000015
【図１４】
2010101101.tif 000016
【図１５】
2010101101.tif 000017